(57)【特許請求の範囲】
【請求項１】
野球ボールの捕球時における手指及び手首の動作を矯正するための、補助板１と補助板２と接合部３とを備えてなる補助具であって、
１）補助板１は、手の甲に接する補助板であって、手の甲から手首まで伸び、少なくとも手の甲の中央部と手首の関節部とを覆い、それにより手首が外方に反り返るのを防止する補助板であり、
２）補助板２は、手の平に接する補助板であって、手の平から人差し指、中指及び薬指の３本の指の第三関節（ＭＰ関節）と第二関節（ＰＩＰ関節）の間まで伸び、少なくとも手の平の中央部と人差し指、中指及び薬指の３本の指の第三関節（ＭＰ関節）を覆い、それにより親指以外の指の第三関節（ＭＰ関節）で手指が手の平に向かって曲がるのを防止する補助板であり、及び
３）接合部３は、前記補助板１と前記補助板２とが取着され手に装着するための接合部である補助具。
【請求項２】
前記接合部３が手の一部又は全体を覆う伸縮性部材で構成される請求項１記載の補助具。
【請求項３】
前記接合部３が指部以外の手の全体を覆う手袋形態の部材である請求項１記載の補助具。
【請求項４】
前記接合部３が指部を含めた手の全体を覆う手袋形態の部材である請求項１記載の補助具。
【発明の詳細な説明】
【技術分野】
【０００１】
本発明は、野球ボールの捕球時における手指及び手首の動作を矯正して、野球ボールを正しく捕球できるようにするための補助具に関するものである。
【背景技術】
【０００２】
野球において、捕手や内野手はグラウンダー（ゴロ）を捕球した後、ボールを素早く送球する手に持ちかえて送球する必要がある。
この一連の動作をスムーズに且つ素早く行うためには、先ず、正しい動作で忠実に捕球を行うことが重要であり、この動作が正しく且つ忠実に行えないと、捕球したボールを送球する手に持ちかえる際に無駄な動作が入り、それにより送球がワンテンポ遅れることとなる。
【０００３】
正しい捕球動作を忠実に行うためには、捕球する手指及び手首の使い方が重要となる。
上記の手指及び手首の使い方とは、捕球用具でボールを握るのではなく、手の平でボールをとらえる感覚でボールを捕球用具内に収め、瞬時に親指以外の指の第一及び第二関節並びに手首の動作を使って捕球角度を変えてボールの勢いを殺すことであり、この動作を身に付けることで、次の送球動作への移行が確実に且つ瞬時に行えるようになる。
【０００４】
上記の捕球の動作は、頭で理解できたとしても正しく身に付けることは必ずしも容易なことではなく、また、野球の指導者は上記の捕球の動作を身に付けるよう選手に指導するにしても指導すべき選手の数が多く、そのため個々の選手に正しい捕球の動作を身に付けさせることは困難なものであった。
【発明の概要】
【発明が解決しようとする課題】
【０００５】
本発明の課題は、手に装着するだけで誰でも簡単に捕球時における手指及び手首の動作を正しく矯正でき、それにより正しい捕球動作、即ち、手の平でボールをとらえる感覚でボールを捕球用具内に収め、瞬時に親指以外の指の第一及び第二関節並びに手首の動作を使って捕球角度を変えてボールの勢いを殺す動作を容易に身に付けることを可能とする補助具を提供することである。
【課題を解決するための手段】
【０００６】
本発明者は、上記課題を解決するために鋭意検討を行った結果、
手首が外方に反り返るのを防止するために、手の甲に接して手の甲から手首まで伸びる少なくとも手の甲の中央部を占める補助板と、
親指以外の指の第三関節が曲がるのを防止するようにするために、手の平に接して手の平から人差し指、中指及び薬指の３本の指の第三関節と第二関節の間まで伸びる少なくとも手の平の中央部を占める補助板の２枚の補助板と、これらの補助板が取着され手に装着するための接合部とを供える補助具を手に装着して捕球練習をすると、誰でも簡単に捕球時における手指及び手首の動作を正しく矯正でき、それにより、手の平でボールをとらえる感覚でボールを捕球用具内に収め、瞬時に親指以外の指の第一及び第二関節並びに手首の動作を使って捕球角度を変えてボールの勢いを殺す動作を容易に身に付けることができることを見出して本発明を完成させた。
【０００７】
即ち、本発明は、
［１］野球ボールの捕球時における手指及び手首の動作を矯正するための補助具であって、
１）手の甲に接する補助板であって、手の甲から手首まで伸び、少なくとも手の甲の中央部と手首の関節部とを覆い、それにより手首が外方に反り返るのを防止する補助板１と、２）手の平に接する補助板であって、手の平から人差し指、中指及び薬指の３本の指の第三関節（ＭＰ関節）と第二関節（ＰＩＰ関節）の間まで伸び、少なくとも手の平の中央部と人差し指、中指及び薬指の３本の指の第三関節（ＭＰ関節）を覆い、それにより親指以外の指の第三関節（ＭＰ関節）で手指が曲がるのを防止する補助板２と、及び
３）前記補助板１と前記補助板２とが取着され手に装着するための接合部３とを備えてなる補助具、
［２］前記接合部３が手の一部又は全体を覆う伸縮性部材で構成される前記［１］記載の補助具、
［３］前記接合部３が指部以外の手の全体を覆う手袋形態の部材である前記［１］記載の補助具、
［４］前記接合部３が指部を含めた手の全体を覆う手袋形態の部材である前記［１］記載の補助具、
に関するものである。
【発明の効果】
【０００８】
本発明により、手に装着するだけで誰でも簡単に捕球時における手指及び手首の動作を正しく矯正でき、それにより正しい捕球動作、即ち、手の平でボールをとらえる感覚でボールを捕球用具内に収め、瞬時に親指以外の指の第一及び第二関節並びに手首の動作を使って捕球角度を変えてボールの勢いを殺す動作を容易に身に付けることを可能とする補助具が提供される。
本発明の補助具は、これを装着して捕球練習を数多くすればする程、正しい捕球時の手指及び手首の動きが出来るようになり、これにより、送球する手に素早く正確にボールを持ちかえるという動作を達成する確率を高くすることができる。
従って、本発明の補助具は、今後の野球選手の育成に重要な役割を果し得るものである。
更に、本発明の補助具は、公認野球規則における用具の規定に違反せず適合するものであり、そのため、日本プロフェッショナル野球組織や日本高等学校野球連盟等が主催する公式試合において、装着したまま出場することができるものである。
従って、本発明の補助具は、野球の種々の公式試合等の実践的な使用においても重要な役割を果し得るものである。
【図面の簡単な説明】
【０００９】
【図１】手に装着した実施例１の補助具を手の甲側から見た図である。
【図２】手に装着した実施例１の補助具を手の平側から見た図である。
【図３】実施例１の補助具を手に装着したまま手指を曲げた際の指の状態を手の平側から見た図である。
【図４】実施例１の補助具を手に装着したまま手指を曲げた際の指の状態を手の横（親指側）から見た図である。
【図５】手に装着した実施例２の補助具を手の甲側から見た図である。
【図６】手に装着した実施例２の補助具を手の平側から見た図である。
【図７】実施例２の補助具を図６のＡ−Ａで切断した際の切断面を示す概略図である。
【図８】手に装着した実施例３の補助具を手の甲側から見た図である。
【図９】手に装着した実施例３の補助具を手の平側から見た図である。
【発明を実施するための形態】
【００１０】
更に詳細に本発明を説明する。
本発明の野球ボールの捕球時における手指及び手首の動作を矯正するための補助具では、
１）手の甲に接する補助板であって、手の甲から手首まで伸び、少なくとも手の甲の中央部と手首の関節部とを覆い、それにより手首が外方に反り返るのを防止する補助板１と、２）手の平に接する補助板であって、手の平から人差し指、中指及び薬指の３本の指の第三関節（ＭＰ関節）と第二関節（ＰＩＰ関節）の間まで伸び、少なくとも手の平の中央部と人差し指、中指及び薬指の３本の指の第三関節（ＭＰ関節）を覆い、それにより親指以外の指の第三関節（ＭＰ関節）で手指が曲がるのを防止する補助板２と、及び
３）前記補助板１と前記補助板２とが取着され手に装着するための接合部３とを備えてなることを特徴とする。
本発明において、親指以外の指の第三関節が曲がるのを防止するために、人差し指、中指及び薬指の３本の指の第三関節が曲がるのを防止するが、これは、上記の３本の指の第三関節が曲がるのを防止すれば、同時に、小指の第三関節が曲がることも防止されるという理由による。
【００１１】
本発明の補助具に使用し得る補助板１としては、手の甲から手首まで伸び、少なくとも手の甲の中央部と手首の関節部を覆い、それにより手首が外方に反り返るのを防止し得るだけの剛性を有する材質のものであれば特に限定されるものではないが、軽くて強度が高く且つ手の甲の形状にフィットするものが好ましく、具体的な材質としては、木材、天然皮革、合成皮革、合成樹脂等が挙げられる。
補助板１の厚さは１ｍｍないし５ｍｍであるのが好ましい。
また、補助板１の幅は、手の甲の幅よりも狭くなっているのが好ましく、また、手の甲の少なくとも６０％以上を覆うのが好ましい。
【００１２】
本発明の補助具に使用し得る補助板２としては、手の平から人差し指、中指及び薬指の３本の指の第三関節と第二関節の間まで伸び、少なくとも手の平の中央部と人差し指、中指及び薬指の３本の指の第三関節を覆い、それにより親指以外の指の第三関節で手指が曲がるのを防止するものであれば特に限定されるものではないが、軽くて強度が高く且つ手の甲の形状にフィットするものが好ましく、具体的な材質としては、木材、天然皮革、合成皮革、合成樹脂等が挙げられる。
補助板２は、親指以外の指が第一関節及び第二関節で曲がるのを妨げず且つ手首の関節が内側に曲がるのを妨げないものであることが好ましい。
補助板２の厚さは１ｍｍないし５ｍｍであるのが好ましい。
また、補助板２の幅は、手の平の幅よりも狭くなっているのが好ましく、また、手の甲の少なくとも６０％以上を覆うのが好ましい。
【００１３】
本発明の補助具に使用し得る接合部３としては、前記補助板１と前記補助板２とが取着され手に装着することができるものであれば、特に限定されるものではないが、手の一部又は全体を覆う伸縮性部材で構成されるもの、指部以外の手の全体を覆う手袋形態の部材であるもの及び指部を含めた手の全体を覆う手袋形態の部材であるものが好ましい。
接合部が、指部以外の手の全体を覆う手袋形態の部材又は指部を含めた手の全体を覆う手袋形態の部材となる場合の素材としては、手の動作を妨げない素材であれば特に限定されず、織布、不織布、天然皮革、合成皮革、合成樹脂シート等の何れを用いてもよい。
また、補助板１及び補助板２は、前記素材から構成される手袋の内側及び外側の何れにも固定できるが、手袋を二枚の素材を重ねた二重構造とし、その二重構造の間に設置することもできる。
補助板１及び補助板２の上記手袋への固定方法は、これらの補助板を接合部に固定できる方法であれば特に限定されるものではないが、接着剤により固定する方法等を採用することができる。
接合部が、手の一部又は全体を覆う伸縮性部材で構成される場合も、補助板１及び補助板２は、前記伸縮性部材の内側及び外側の何れにも固定でき、また、伸縮性部材を二重構造とし、その二重構造の間に設置することもできる。
補助板１及び補助板２の伸縮性部材への固定方法も、これらの補助板を接合部に固定できる方法であれば特に限定されるものではないが、接着剤により固定する方法等を採用することができる。
【実施例】
【００１４】
本発明の実施例を図面に基づいて説明する。
実施例１の補助具は、手の甲に接する補助板１、手の平に接する補助板２、及び手の一部又は全体を覆う伸縮性部材で構成される接合部３からなる補助具である（図１及び図２参照）。
図１から分るように、手に装着された伸縮性部材で構成される接合部３の上部に手の甲に接する補助板１が接着され、該補助板１は、手の甲から手首まで伸び、人差し指、中指及び薬指の３本の指の第三関節の下から手首までのほぼ全域を覆っており、また、図２から分るように、手の平に接する補助板２は、上記伸縮性部材で構成される接合部３の上部に接着され、該補助板２は、人差し指、中指及び薬指の３本の指の第三関節と第二関節の間から手首の手前までの手の平の領域を覆っている。
図３及び４に、本発明の実施例１の補助具を手に装着したまま指を曲げた際の指の状態を図示した。
図３及び４から分るように、人差し指、中指及び薬指の３本の指の第三関節と第二関節の間までを覆う補助板２により、親指以外の指の第三関節で曲がる動作が防止され且つ第一関節及び第二関節で曲がる動作は妨げられないため、親指以外の指は、第一関節及び第二関節のみで曲がることになり、また、手の甲から手首まで伸びて手首を覆う補助板１により、手首が外方に反り返る動作が防止される。
【００１５】
実施例２の補助具は、手の甲に接する補助板１、手の平に接する補助板２、及び指部以外の手の全体を覆う手袋形態の部材である接合部３´からなる補助具である（図５及び図６参照）。
図５から分るように、手の甲に接する補助板１は、指部以外の手の全体を覆う手袋形態の部材である接合部３´の内部に組み込まれ、該補助板１は、手の甲から手首まで伸び、人差し指、中指及び薬指の３本の指の第三関節の下方の親指の付け根の位置から手首までの領域を覆っており、また、図６から分るように、手の平に接する補助板２も指部以外の手の全体を覆う手袋形態の部材である接合部３´の内部に組み込まれ、該補助板２は、人差し指、中指及び薬指の３本の指の第三関節と第二関節の間に伸びる突起部分を有し、該突起部分から手首の手前までの手の平の領域を覆っている。
図７に、実施例２の補助具を図６のＡ−Ａで切断した際の切断面を示す概略図を示した。
図７から分るように、実施例２の補助具は、二枚の素材を重ねた二重構造となる接合部３´の二重構造の間に補助板１及び補助板２が設置されており、補助板２は、手指の第三関節と第二関節の間から手首の手前までの手の平を覆い、補助板１は、手の甲（親指の付け根の位置）から手首まで伸びて手首を覆っている。
ここで、指部以外の手の全体を覆う手袋形態の部材である接合部３´は、補助板１及び補助板２の設置がずれないように、手の大きさに合った手袋とするべきであり、また、ずれ難い素材である、ゴム、天然皮革、合成皮革等で構成するのが好ましい。
【００１６】
実施例３の補助具は、手の甲に接する補助板１、手の平に接する補助板２、及び指部を含めた手の全体を覆う手袋形態の部材である接合部３´´からなる補助具である（図８及び図９参照）。
図８から分るように、手の甲に接する補助板１は、指部を含めた手の全体を覆う手袋形態の部材である接合部３´´の内部に組み込まれ、該補助板１は、手の甲から手首まで伸び、人差し指、中指及び薬指の３本の指の第三関節の下の位置と親指の付け根の位置との間から手首までの領域を覆っており、また、図９から分るように、手の平に接する補助板
２も指部を含めた手の全体を覆う手袋形態の部材である接合部３´´の内部に組み込まれ、該補助板２は、人差し指、中指及び薬指の３本の指の第三関節と第二関節の間に伸びる突起部分を有し、該突起部分から手首の手前までの手の平の領域を覆っている。
【符号の説明】
【００１７】
１：補助板１
２：補助板２
３：接合部（伸縮性部材）
３´：接合部（手袋形態：指部無し）
３´´：接合部（手袋形態：指部有り）
【図１】
0006008570.tif 000002
【図２】
0006008570.tif 000003
【図３】
0006008570.tif 000004
【図４】
0006008570.tif 000005
【図５】
0006008570.tif 000006
【図６】
0006008570.tif 000007
【図７】
0006008570.tif 000008
【図８】
0006008570.tif 000009
【図９】
0006008570.tif 000010